(57)【要約】【課題】ユーザーが視差量を調整せずとも最適化された視差量を得るようにする。【解決手段】表示サイズ算出部１０６で算出された映像の表示サイズと視差量検出部１０５で検出された視差量の情報とを使用して視差量を調整する視差量調整部１０２を備え、この視差量調整部１０２は、調整された視差量に基づいて映像表示部１０３に映像信号を送信する。これにより、ユーザーが視差量を調整せずとも最適化された視差量が得られるので、自動的に当該視差量を調整することができる。【選択図】図２
2010098479.tif 000002
【特許請求の範囲】
【請求項１】
左眼用映像と右眼用映像の視差量の情報を含む映像信号を映像に変換して当該映像をスクリーンに表示する映像表示部と、
前記映像表示部と前記スクリーンとの距離である投影距離を検出する投影距離検出部と、
前記投影距離検出部によって検出された前記投影距離を用いて前記スクリーンに表示される前記映像の表示サイズを算出する表示サイズ算出部と、
前記映像信号から前記視差量の情報を検出する視差量検出部と、
前記スクリーンに表示される前記映像の表示サイズと前記視差量検出部で検出された視差量の情報とを使用して視差量を調整する視差量調整部とを備える表示装置。
【請求項２】
前記映像表示部には前記映像を拡大するズームレンズが設けられ、前記ズームレンズの拡大倍率をズーム量としたとき、
前記映像表示部にはズーム量検出部が接続され、
前記ズーム量検出部は、
前記ズーム量を検出する請求項１に記載の表示装置。
【請求項３】
前記表示サイズ算出部は、
前記投影距離検出部で検出された前記投影距離と前記ズーム量検出部で検出された前記ズーム量とを用いて前記映像のサイズを算出する請求項１又は２に記載の表示装置。
【請求項４】
前記投影距離検出部は、
超音波を用いて前記投影距離を検出する請求項３に記載の表示装置。
【請求項５】
前記投影距離検出部は、
赤外線レーザー又は赤色レーザーを用いて前記投影距離を検出する請求項３に記載の表示装置。
【請求項６】
前記映像表示部には前記映像信号を受信する映像信号入力部が接続され、
前記視差量調整部には視差量処理部が接続され、
前記視差量処理部は、
前記映像信号入力部に前記視差量の情報が受信されない場合、ステレオマッチング処理を施して前記視差量を調整する請求項１に記載の表示装置。
【請求項７】
前記映像信号入力部には入力映像リピート部が接続され、
前記入力映像リピート部は、
入力された左眼用映像情報及び右眼用映像情報を受信し、前記左眼用映像情報又は前記右眼用映像情報のうち一方を送出する請求項６に記載の表示装置。
【請求項８】
前記視差量調整部は、
調整された前記視差量の情報を通知する機能を有する請求項６に記載の表示装置。
【請求項９】
前記視差量の情報は、
ピクセル数を用いる請求項１に記載の表示装置。
【請求項１０】
左眼用映像及び右眼用映像をスクリーンに表示する表示装置が、
前記左眼用映像と前記右眼用映像の視差量の情報を含む映像信号を受信して前記映像信号から前記視差量の情報を検出する第１のステップと、
当該表示装置と前記スクリーンとの間の距離である投影距離を検出する第２のステップと、
検出された前記投影距離を用いて前記スクリーンに表示される前記映像の表示サイズを算出する第３のステップと、
算出された前記映像の表示サイズと検出された前記視差量の情報とを使用して前記視差量を調整する第４のステップと、
調整された前記視差量で前記映像を前記スクリーンに表示する第５のステップとを有する表示方法。
【請求項１１】
左眼用映像と右眼用映像の視差量の情報を含む映像信号を映像に変換して当該映像をスクリーンに表示する第１の映像表示部と、前記第１の映像表示部と前記スクリーンとの距離である投影距離を検出する第１の投影距離検出部と、前記第１の投影距離検出部によって検出された前記投影距離を用いて前記スクリーンに表示される前記映像の表示サイズを算出する第１の表示サイズ算出部と、前記映像信号から前記視差量の情報を検出する第１の視差量検出部と、前記スクリーンに表示される前記映像の表示サイズと前記第１の視差量検出部で検出された視差量の情報とを使用して視差量を調整する第１の視差量調整部とを有する第１の表示装置と、
前記左眼用映像と前記右眼用映像の前記視差量の情報を含む前記映像信号を映像に変換して当該映像をスクリーンに表示する第２の映像表示部と、前記第２の映像表示部と前記スクリーンとの距離である投影距離を検出する第２の投影距離検出部と、前記第２の投影距離検出部によって検出された前記投影距離を用いて前記スクリーンに表示される前記映像の表示サイズを算出する第２の表示サイズ算出部と、前記映像信号から前記視差量の情報を検出する第２の視差量検出部と、前記スクリーンに表示される前記映像の表示サイズと前記第２の視差量検出部で検出された視差量の情報とを使用して視差量を調整する第２の視差量調整部とを有する第２の表示装置とを備える表示システム。
【請求項１２】
前記第１の映像表示部には前記映像信号を受信する映像信号入力部が接続され、前記第１の視差量調整部には視差量処理部が接続され、
前記視差量処理部は、前記映像信号入力部に前記視差量の情報が受信されない場合、ステレオマッチング処理を施して前記視差量を調整する請求項１１に記載の表示システム。
【請求項１３】
前記映像信号入力部には入力映像リピート部が接続され、
前記入力映像リピート部は、
入力された左眼用映像情報及び右眼用映像情報を受信し、前記左眼用映像情報又は前記右眼用映像情報のうち一方を送出する請求項１２に記載の表示システム。
【発明の詳細な説明】
【技術分野】
【０００１】
本発明は、３次元立体映像を表示させる前面投影型のプロジェクタ装置に適用可能な表示装置、表示方法及び表示システムに関するものである。
【０００２】
詳しくは、左眼用及び右眼用映像の視差量の情報と投影距離から求められる映像の表示サイズとを使用して視差量を調整することで、最適化された視差量が得られ、自動的に視差量を調整できるようにしたものである。
【背景技術】
【０００３】
近年、前面投影型のプロジェクタ装置の高精細化及び高画質化が進んでおり、家庭のリビングに当該プロジェクタ装置を設置して、ホームシアターを構築するユーザーが増えている。また、左右視差映像を利用した立体映像コンテンツの上映可能な設備を備える映画館が増えていることから、今後は、家庭でも立体映像コンテンツの鑑賞可能なプロジェクタ装置が増えてくるものと思われる。
【０００４】
左右視差映像の鑑賞方法は、あるずれ量（視差量）をもった左眼用映像と右眼用映像とを表示装置で表示させ、鑑賞者の左眼に左眼用映像を入力させ、右眼に右眼用映像を入力させることで鑑賞可能になされる。左右視差映像は、左眼用映像と右眼用映像とが視差量を水平方向にもったものである。その視差量が大きいほど鑑賞者は飛び出し感や奥行き感を感じることができる。
【０００５】
図１４は、鑑賞者の左右の眼と左右視差映像の関係例（その１）を示す説明図である。図１４（Ａ）に示すように、鑑賞者の左眼１６０の視線と右眼１７０の視線とが交差するように、左眼用映像１３１及び右眼用映像１４１をスクリーン２０に表示させる。鑑賞者は、鑑賞者の左眼１６０で左眼用映像１３１を見て、鑑賞者の右眼１７０で右眼用映像１４１を見ることで、立体映像１５１がスクリーン２０より手前側に表示されていると感じる。つまり、鑑賞者は飛び出し感のある映像を鑑賞することができる。
【０００６】
また、図１４（Ｂ）に示すように、鑑賞者の左眼１６０の視線と右眼１７０の視線とが交差しないように、左眼用映像１３２及び右眼用映像１４２をスクリーン２０に表示させる。すると、鑑賞者は、立体映像１５２がスクリーン２０より奥側に表示されていると感じる。つまり、鑑賞者は奥行き感のある映像を鑑賞することができる。
【０００７】
しかしながら、飛び出し感や奥行き感等の立体感が得られる立体映像の視差量には限界があり、視差量が大きすぎると、鑑賞者は眼精疲労を引き起こしたり、表示された映像が立体映像として認識できないことがある。
【０００８】
図１５は、鑑賞者の左右の眼と左右視差映像の関係例（その２）を示す説明図である。図１５（Ａ）に示すように、鑑賞者の左眼１６０及び右眼１７０の視線が当該左眼１６０及び右眼１７０よりも外側になるように、左眼用映像１３３及び右眼用映像１４３がスクリーン２０に表示されている。このように表示された映像は、人間の左右の眼は同時に外側を向くことができないために鑑賞することができない。
【０００９】
また、図１５（Ｂ）に示すように、スクリーン２０に表示された左眼用映像１３４及び右眼用映像１４４の視差量が大きすぎると当該映像１３４，１４４は融合せず、鑑賞者は、眼精疲労を引き起こす可能性がある。
【００１０】
特許文献１には立体画像表示装置が開示されている。この立体画像表示装置によれば、左右視差画像の視差量を調整するために画面表示サイズや画素数等の情報をユーザーが入力し、その入力した情報に基づいて左右視差画像を拡大又は縮小させて当該視差量を調整するようにしたものである。
【００１１】
【特許文献１】特開２００５−７３０１３号公報
【発明の開示】
【発明が解決しようとする課題】
【００１２】
このように、引用文献１に記載の立体画像表示装置は、入力された視差量の情報に基づいて左右視差映像の視差量を調整することで、鑑賞者の眼精疲労を低減させることができる。しかしながら、当該装置がプロジェクタ装置の場合、ユーザーによってプロジェクタ装置の設置状況が異なることが多く、また、視差量はスクリーン等に表示させた映像の表示サイズによって大きく依存するため、引用文献１に記載の立体画像表示装置では視差量の調整が困難である。
【００１３】
本発明は、このような課題を解決したものであって、ユーザーが視差量を調整せずとも最適化された視差量を得るようにし、設置環境に依存しない視差量自動調整機能付き表示装置を提供することを目的とする。
【課題を解決するための手段】
【００１４】
上述した課題は、左眼用映像と右眼用映像の視差量の情報を含む映像信号を映像に変換して当該映像をスクリーンに表示する映像表示部と、映像表示部とスクリーンとの距離である投影距離を検出する投影距離検出部と、投影距離検出部によって検出された投影距離を用いてスクリーンに表示される映像の表示サイズを算出する表示サイズ算出部と、映像信号から視差量の情報を検出する視差量検出部と、スクリーンに表示される映像の表示サイズと視差量検出部で検出された視差量の情報とを使用して視差量を調整する視差量調整部とを備える表示装置によって解決される。
【００１５】
本発明に係る表示装置によれば、映像表示部は、左眼用映像と右眼用映像の視差量の情報を含む映像信号を映像に変換して当該映像をスクリーンに表示する。投影距離検出部は、映像表示部とスクリーンとの距離である投影距離を検出する。表示サイズ算出部は、投影距離検出部によって検出された投影距離を用いてスクリーンに表示される映像の表示サイズを算出する。視差量検出部は、映像信号から視差量の情報を検出する。視差量調整部は、スクリーンに表示される映像の表示サイズと視差量検出部で検出された視差量の情報とを使用して視差量を調整する。この構成より、最適化された視差量を得ることができる。
【００１６】
本発明に係る表示方法は、左眼用映像及び右眼用映像をスクリーンに表示する表示装置が、左眼用映像と右眼用映像の視差量の情報を含む映像信号を受信して映像信号から前記視差量の情報を検出する第１のステップと、当該表示装置とスクリーンとの間の距離である投影距離を検出する第２のステップと、検出された投影距離を用いてスクリーンに表示される映像の表示サイズを算出する第３のステップと、算出された映像の表示サイズと検出された視差量の情報とを使用して視差量を調整する第４のステップと、調整された視差量で映像をスクリーンに表示する第５のステップとを有するものである。
【００１７】
本発明に係る表示システムは、左眼用映像と右眼用映像の視差量の情報を含む映像信号を映像に変換して当該映像をスクリーンに表示する第１の映像表示部と、第１の映像表示部とスクリーンとの距離である投影距離を検出する第１の投影距離検出部と、第１の投影距離検出部によって検出された投影距離を用いてスクリーンに表示される映像の表示サイズを算出する第１の表示サイズ算出部と、映像信号から視差量の情報を検出する第１の視差量検出部と、スクリーンに表示される映像の表示サイズと第１の視差量検出部で検出された視差量の情報とを使用して視差量を調整する第１の視差量調整部とを有する第１の表示装置と、左眼用映像と右眼用映像の視差量の情報を含む映像信号を映像に変換して当該映像をスクリーンに表示する第２の映像表示部と、第２の映像表示部とスクリーンとの距離である投影距離を検出する第２の投影距離検出部と、第２の投影距離検出部によって検出された投影距離を用いてスクリーンに表示される映像の表示サイズを算出する第２の表示サイズ算出部と、映像信号から視差量の情報を検出する第２の視差量検出部と、スクリーンに表示される映像の表示サイズと第２の視差量検出部で検出された視差量の情報とを使用して視差量を調整する第２の視差量調整部とを有する第２の表示装置とを備えるものである。
【発明の効果】
【００１８】
本発明に係る表示装置、表示方法及び表示システムによれば、映像の表示サイズと視差量の情報とを使用して視差量を調整する。これにより、ユーザーが視差量を調整せずとも最適化された視差量が得られるので、自動的に当該視差量を調整することができる。
【発明を実施するための最良の形態】
【００１９】
発明を実施するための最良の形態（以下、実施の形態とする）について説明する。なお説明は以下の順序で行う。  
１．第１の実施の形態（表示装置の構成例）  
２．第２の実施の形態（２台の表示装置を用いる場合  その１）  
３．第３の実施の形態（２台の表示装置を用いる場合  その２）
【００２０】
＜第１の実施の形態＞  
［表示装置の構成例］  
以下、図面を参照しながら、本発明に係る表示装置について説明する。図１は、第１の実施の形態に係る表示装置１００の構成例を示す説明図である。図１に示す表示装置１００は、３次元立体映像を表示させる前面投影型のプロジェクタ装置等に適用可能なものである。
【００２１】
図１に示すように、表示装置１００には映像信号Ｓinが入力される。映像信号Ｓinは、左眼用画像信号Ｌ１，Ｌ２，Ｌ３、右眼用画像信号Ｒ１，Ｒ２，Ｒ３及び図示しない視差量の情報で構成されている。表示装置１００には、左眼用画像信号Ｌ１、右眼用画像信号Ｒ１、左眼用画像信号Ｌ２、右眼用画像信号Ｒ２、左眼用画像信号Ｌ３、右眼用画像信号Ｒ３というように左眼用画像信号と右眼用画像信号が時分割多重されて入力される。その入力された順番でスクリーン２０に映像が表示される。
【００２２】
表示装置１００は、入射信号Ｄ１をスクリーン２０に放射し、当該スクリーン２０から反射された反射信号Ｄ２を受信することで当該表示装置１００とスクリーン２０との間の距離（以下、投影距離という）を検出する。表示装置１００は、この検出された投影距離と映像信号Ｓinに含まれる視差量の情報とを使用して視差量を調整し、視差量が調整された左右視差映像をスクリーン２０に表示させる。
【００２３】
鑑賞者は、液晶シャッター眼鏡４０をかけてスクリーン２０に表示された映像を見る。液晶シャッター眼鏡４０は、左眼側のシャッターがＯＦＦの時に右眼側のシャッターをＯＮ、左眼側のシャッターがＯＮの時に右眼側のシャッターをＯＦＦといったように交互に左眼側のシャッターと右眼側のシャッターのＯＮ／ＯＦＦ動作を繰り返す。液晶シャッター眼鏡４０のＯＮ／ＯＦＦ動作は，表示装置１００から出力される垂直同期信号Ｓvに同期して行われる。この構成により、鑑賞者の左眼には左眼用映像のみを入力させることができ、右眼には右眼用映像のみを入力させることができる。
【００２４】
このようにスクリーン２０に表示された左右視差映像を、鑑賞者は、液晶シャッター眼鏡４０をかけてスクリーン２０に表示された映像を見ることで３次元立体映像を鑑賞することができる。
【００２５】
図２は、表示装置１００の構成例を示すブロック図である。図２に示すように、表示装置１００は、視差量調整部１０２、映像表示部１０３、視差量検出部１０５、表示サイズ算出部１０６及び投影距離検出部１０８で構成されている。また、表示装置１００は、映像信号入力部１０１及びズーム量検出部１０７をさらに備えている。
【００２６】
左眼用映像と右眼用映像の視差量の情報を含む映像信号Ｓinが外部装置６０から映像信号入力部１０１に入力される。映像信号入力部１０１には視差量検出部１０５が接続されている。視差量検出部１０５は、映像信号Ｓinに含まれる視差量の情報を検出する。
【００２７】
映像信号入力部１０１及び視差量検出部１０５には視差量調整部１０２が接続されている。視差量調整部１０２は、映像信号入力部１０１から出力された映像信号Ｓinを受信し、視差量検出部１０５から出力された視差量の情報を受信し、後述する表示サイズ算出部１０６から映像の表示サイズを受信する。視差量調整部１０２は、視差量の情報と映像の表示サイズとを使用して視差量を算出し、その算出された視差量に基づいて映像信号Ｓinから得られる左右視差映像の視差量を調整する。
【００２８】
視差量調整部１０２には映像表示部１０３が接続されている。映像表示部１０３は、視差量が調整された左右視差映像の情報を受信し、各種処理を施してその左右視差映像の情報を映像に変換する。また、映像表示部１０３は図示しないズームレンズを備えており、映像を当該ズームレンズで拡大してスクリーン２０に表示させる機能を有する。
【００２９】
投影距離検出部１０８は投影距離を検出する。例えば、入射信号Ｄ１をスクリーン２０に放射し、当該スクリーン２０から反射された反射信号Ｄ２を受信することで投影距離を検出する。この入射信号Ｄ１には、超音波を用いても良いし、赤外線レーザー又は赤色レーザーを用いても良い。
【００３０】
投影距離検出部１０８には表示サイズ算出部１０６が接続されている。表示サイズ算出部１０６は、投影距離の情報と後述するズーム量検出部１０７から検出されるズーム量の情報とを使用してスクリーン２０に表示される映像の表示サイズを算出する。
【００３１】
前述の映像表示部１０３にはズーム量検出部１０７が接続されている。ズーム量検出部１０７は、ズームレンズの拡大倍率であるズーム量を検出する。また、ズーム量検出部１０７は、ズーム量の情報を保持する機能を有しており、例えば、ズームレンズにより映像が１．５倍に拡大されている場合には、「１．５倍」という情報を保持する。ズーム量検出部１０７には表示サイズ算出部１０６が接続されており、当該ズーム量検出部１０７はズーム量の情報を表示サイズ算出部１０６に出力する。
【００３２】
このような構成により、ユーザーが視差量を調整せずとも最適化された視差量が得られるので、自動的に当該視差量を調整することができる。
【００３３】
さらに、表示装置１００の各部の機能について詳細に説明する。映像信号入力部１０１は、例えば、Ｂｌｕ−ｒａｙ（登録商標）プレーヤーやＤＶＤプレーヤー等の再生機器である外部装置６０との接続が可能なＤＶＩ（Digital  Visual  Interface）やＨＤＭＩ（High-Definition  Multimedia  Interface）等のインターフェースを有している。表示装置１００と外部装置６０がＤＶＩ又はＨＤＭＩ端子で接続された場合、電気信号の伝送は差動信号を用いる。
【００３４】
その差動信号には、例えば、ＴＭＤＳ（Transition  Minimized  Differential  Signaling）が使用される。ＴＭＤＳを使用することにより、複数のパラレルの映像信号をシリアライズすることで信号の本数を削減することができる。映像信号入力部１０１は、そのＴＭＤＳで入力された映像信号をデシリアライズすることでパラレルの映像信号に変換することができる。
【００３５】
視差量検出部１０５は、映像信号入力部１０１に入力された映像信号Ｓinに含まれる左右視差映像の視差量の情報を検出する。左右視差映像の視差量の情報が外部装置６０で判別されている場合、視差量検出部１０５は、その視差量の情報を検出する機能を有する。また、視差量検出部１０５は、外部装置６０から検出された視差量の情報を保持する。
【００３６】
図３は、視差量のイメージ例を示す説明図である。視差量の情報は長さで表してもよいし、ピクセル数で表してもよい。図３に示すように、視差量を長さで表す場合、左眼用映像１３０と右眼用映像１４０とはｄ１ずれているので、視差量はｄ１となる。また、視差量をピクセル数で表す場合、左眼用映像１３０と右眼用映像１４０とは４ピクセルずれているので、視差量は４ピクセルとなる。視差量検出部１０５は、視差量の情報をｄ１又は４ピクセルとして保持する。
【００３７】
投影距離検出部１０８は、投影距離を計測する機能を有する。投影距離は、超音波による距離計測や赤外線レーザー又は赤色レーザーによる距離計測で検出される。
【００３８】
超音波による距離計測について説明する。投影距離検出部１０８がスクリーン２０に向けて超音波を入射信号Ｄ１として発信する。発信された入射信号Ｄ１がスクリーン２０で反射し、その反射された信号を反射信号Ｄ２として投影距離検出部１０８が受信する。また、投影距離検出部１０８は、入射信号Ｄ１を発信してから反射信号Ｄ２を受信するまでの時間（超音波の伝搬時間）を計測して当該時間から投影距離を算出するようになされる。このようにして、投影距離検出部１０８は投影距離を計測することができる。
【００３９】
次に、赤外線レーザー又は赤色レーザーによる距離計測について説明する。投影距離検出部１０８がスクリーン２０に向けて赤外線又は赤色のレーザー光を入射信号Ｄ１’として照射する。照射された入射信号Ｄ１’がスクリーン２０で反射し、その反射された信号を反射信号Ｄ２’として投影距離検出部１０８が受信する。
【００４０】
赤外線レーザー又は赤色レーザーによる距離計測方法には、タイムオブフライト方式や三角測距方式等がある。タイムオブフライト方式は、超音波による距離計測と同様に、投影距離検出部１０８が入射信号Ｄ１’を発射してから反射信号Ｄ２’を受信するまでの時間（光の伝搬時間）を計測して当該時間から投影距離を算出する方式である。三角測距方式は、投影距離検出部１０８に直線状の受光素子が設けられ、反射信号Ｄ２’が当該受光素子のどの位置で受光されたかを検知して投影距離を算出する方式である。
【００４１】
投影距離の計測は、表示装置１００の電源が投入された時に行ってもよいし、映像信号Ｓinが入力された時に行ってもよいし、数秒又は数分程度の周期で行ってもよい。また、投影距離計測の分解能及び測定距離範囲は、例えば、数十ｃｍから１０ｍ以上の範囲内で、当該分解能が約１ｃｍである。
【００４２】
表示サイズ算出部１０６は、スクリーン２０に表示される映像の表示サイズを算出する機能を有する。図４は、投影距離と表示サイズの関係例を示すグラフである。図４に示すように、横軸は投影距離、縦軸は表示サイズである。図４の黒丸の直線は、ズームレンズの拡大倍率が１倍に固定されたときの投影距離と表示サイズの関係例を示し、三角の破線は、ズームレンズの拡大倍率が２倍に固定されたときの投影距離と表示サイズの関係例を示している。
【００４３】
ズームレンズの拡大倍率が一定のとき、投影距離と表示サイズとは比例関係にある。表示サイズ算出部１０６は、図３に示すような投影距離と表示サイズとの比例関係に基づいて検出された投影距離を所望の表示サイズに換算することができる。
【００４４】
映像表示部１０３は、視差量調整部１０２から出力された映像信号Ｓinに基づいて映像を生成し、当該映像表示部１０３が備えるズームレンズでスクリーン２０に表示させる機能を有する。また、映像表示部１０３は、スクリーン２０に表示される水平及び垂直の解像度の情報を保持する機能を有する。
【００４５】
図５は、映像表示部１０３の構成例を示す説明図である。図５に示すように、映像表示部１０３は、光源１１１、ダイクロイックミラー１１２，１１３、反射ミラー１１４，１１５，１１６、赤色用液晶パネル（以下、液晶パネル１１７という）、緑色用液晶パネル（以下、液晶パネル１１８という）、青色用液晶パネル（以下、液晶パネル１１９という）、ダイクロイックプリズム１２０及びズームレンズ１０４で構成されている。
【００４６】
視差量調整部１０２から出力された映像信号Ｓinは、光源１１１及び液晶パネル１１７，１１８，１１９に送出される。光源１１１は、映像信号Ｓinにより点灯を開始又は終了したり、発光強度を調整したりするような点灯制御がなされる。例えば、光源１１１には、メタルハライドランプ、ハロゲンランプ及びキセノンランプ等で構成される。
【００４７】
図５に示すように、光源１１１から放出された光がダイクロイックミラー１１２で透過及び反射される。ダイクロイックミラー１１２を透過した光は反射ミラー１１５で反射され液晶パネル１１７を照射する。また、ダイクロイックミラー１１２で反射された光は、ダイクロイックミラー１１３で透過及び反射される。ダイクロイックミラー１１３で反射された光は、液晶パネル１１８を照射する。また、ダイクロイックミラー１１３を透過した光は反射ミラー１１４を反射する。反射ミラー１１４で反射された光は、反射ミラー１１６によって反射され、液晶パネル１１９を照射する。
【００４８】
液晶パネル１１７，１１８，１１９は、受信した映像信号Ｓinを映像に変換する機能を有する。液晶パネル１１７，１１８，１１９は、映像信号Ｓinに基づいて画像を当該液晶パネル１１７，１１８，１１９内に形成する。光源１１１より放出された光を画像が形成された液晶パネル１１７，１１８，１１９に照射することで、当該液晶パネル１１７，１１８，１１９に照射された光は当該液晶パネル１１７，１１８，１１９を透過する。
【００４９】
このように、液晶パネル１１７，１１８，１１９は、画像が形成された当該液晶パネル１１７，１１８，１１９内に光を透過させて、赤色、緑色及び青色の画像をダイクロイックプリズム１２０に出力する。ダイクロイックプリズム１２０は、液晶パネル１１７，１１８，１１９から赤色、緑色及び青色の映像をそれぞれ受信し、当該映像を合成することで、ズームレンズ１０４に映像を出力する。ズームレンズ１０４は、出力された映像をスクリーン２０に表示させる。
【００５０】
視差量調整部１０２は、視差量検出部１０５で検出された視差量の情報と表示サイズ算出部１０６で算出された表示サイズとを用いて視差量を調整する。視差量検出部１０５で検出された視差量の情報をｄｐ１［pixel］、表示サイズ算出部１０６で算出されたスクリーン２０に表示される映像の水平方向の長さをＷ［mm］、スクリーン２０に表示される映像の水平解像度をＨ［pixel］、視差量を調整する前の視差量をｄｌ１［mm］、視差量を調整した後の視差量をｄｌ２［mm］とする。
【００５１】
視差量調整部１０２では、視差量検出部１０５で検出された視差量の情報ｄｐ１と、表示サイズ算出部１０６で算出された映像の水平方向の長さＷと、映像表示部１０３で保持された水平解像度Ｈが記憶される。視差量調整部１０２は、視差量の情報ｄｐ１、映像の水平方向の長さＷ及び水平解像度Ｈを用いて、視差量ｄｌ１を下記の（１）式より算出する。
【００５２】
【数１】
2010098479.tif 000003
【００５３】
視差量調整部１０２は、算出されたｄｌ１に基づいて視差量を調整するか否かを判定する。図１５で示したように、視差量が大きすぎる場合には視差量の調整を行う。例えば、人間の左右の眼の間隔の平均は、約６５ｍｍであるため、６５ｍｍを視差量の調整を行う基準値とし、ｄｌ１が６５ｍｍを超える場合に視差量の調整を行う。また、鑑賞者が、視差量の調整を行う基準値を任意に設定しても良い。
【００５４】
視差量調整部１０２は、視差量を調整した後の視差量ｄｌ２を例えば６５ｍｍ以下になるように予め設定しておく。また、鑑賞者が任意に視差量ｄｌ２を設定しても良い。また、視差量調整部１０２は、設定された視差量ｄｌ２となるように左右視差映像を水平方向にシフトさせる。視差量を調整しないと判定された場合、視差量調整部１０２は視差量の調整を行わず、視差量はｄｌ２＝ｄｌ１とする。
【００５５】
図６は、視差量調整部１０２の動作例を示すフローチャートである。図６に示すようにステップＳＴ１で、視差量調整部１０２は、視差量の情報ｄｐ１と、映像の水平方向の長さＷと、映像の水平解像度Ｈとを取得する。
【００５６】
次にステップＳＴ２に移行し、視差量調整部１０２は、取得した視差量の情報ｄｐ１、映像の水平方向の長さＷ及び映像の水平解像度Ｈを用いて前述の数１を用いて視差量ｄｌ１を算出する。
【００５７】
ステップＳＴ３に移行し、視差量調整部１０２は、算出された視差量ｄｌ１から視差量の調整が必要か否かを判定する。例えば、視差量ｄｌ１＞６５mmかどうかを判定する。
【００５８】
視差量の調整が必要である（例えば、視差量ｄｌ１＞６５mmである）場合、ステップＳＴ４に移行し、視差量調整部１０２は、左右視差映像をｄｌ２となるように水平方向に映像をシフトさせてＳＴ１に移行する。例えば、視差量ｄｌ２は、ｄｌ２＜６５ｍｍに予め設定されて保持されている。
【００５９】
視差量の調整が必要でない（例えば、視差量ｄｌ１≦６５mmである）場合、ステップＳＴ５に移行し、視差量調整部１０２は、視差量の調整は行わず、ｄｌ２＝ｄｌ１に設定してＳＴ１に移行する。
【００６０】
次に、本発明に係る表示方法について説明する。図７は、表示装置１００の動作例を示すフローチャートである。図７に示すように、ステップＳＴ１１で、映像信号入力部１０１は、左眼用映像と右眼用映像の視差量の情報ｄｐ１を含む映像信号Ｓinを受信する。
【００６１】
ステップＳＴ１２に移行し、視差量検出部１０５は、受信した映像信号Ｓinから視差量の情報ｄｐ１を検出する。
【００６２】
ステップＳＴ１３に移行し、投影距離検出部１０８は、表示装置１００又は映像表示部１０３と映像が表示されるスクリーン２０との間の距離である投影距離を超音波やレーザーを用いて検出する。
【００６３】
ステップＳＴ１４に移行し、ズーム量検出部１０７は、映像表示部１０３が有しているズームレンズの拡大倍率であるズーム量を検出する。
【００６４】
ステップＳＴ１５に移行し、ズーム量検出部１０７は、ズーム量設定が完了したか否かを判定する。ズーム量はユーザーによって設定される。例えば、表示装置１００に図示しないズーム量設定ボタンを設け、ユーザーが当該ボタンを押すことで任意にズーム量を設定することができる。そのズーム量設定ボタンが押されたか否かをズーム量検出部１０７が感知し、当該ボタンが押された場合には、ステップＳＴ１４に移行し、ズーム量検出部１０７は再度ズーム量を検出する。ズーム量設定ボタンが押されない場合には、ステップＳＴ１６に移行する。
【００６５】
ステップＳＴ１６では、表示サイズ算出部１０６がステップＳＴ１３にて検出された投影距離とステップＳＴ１４にて検出されたズーム量とを用いてスクリーン２０に表示される映像の表示サイズを算出する。
【００６６】
ステップＳＴ１７に移行し、視差量調整部１０２は、視差量検出部１０５で検出された視差量の情報ｄｐ１を視差量ｄｌ１に変換させ、当該視差量ｄｌ１と表示サイズ算出部１０６で算出された映像の表示サイズとを使用してスクリーン２０に表示される映像の視差量を調整する。
【００６７】
ステップＳＴ１８に移行し、映像表示部１０３は、視差量調整部１０２で調整された視差量で左右視差映像をスクリーン２０に表示する。
【００６８】
このように、第１の実施の形態に係る表示装置１００及び表示方法によれば、表示サイズ算出部１０６で算出された映像の表示サイズと視差量検出部１０５で検出された視差量の情報とを使用して視差量を調整する視差量調整部１０２を備える。
【００６９】
これにより、ユーザーが視差量を調整せずとも最適化された視差量が得られるので、自動的に当該視差量を調整することができる。この結果、設置環境に依存しない視差量自動調整機能付き表示装置１００を提供することができる。
【００７０】
＜第２の実施の形態＞  
［２台の表示装置を用いる場合（その１）］  
図８は、第２の実施の形態に係る表示システム２００の構成例を示す説明図であり、図９はそのブロック図である。図８及び図９に示す表示システム２００は、前述の第１の実施の形態に記載の表示装置１００を２台使用して左右視差映像を表示させるものである。
【００７１】
図８及び図９に示すように、表示システム２００は、左眼用映像を表示させる第１の表示装置（以下、表示装置２００Ａという）と右眼用映像を表示させる第２の表示装置（以下、表示装置２００Ｂという）とで構成されている。
【００７２】
表示装置２００Ａは、第１の視差量調整部（以下、視差量調整部２０２Ａという）、第１の映像表示部（以下、映像表示部２０３Ａという）、第１の視差量検出部（以下、視差量検出部２０５Ａという）、第１の表示サイズ算出部（以下、表示サイズ算出部２０６Ａという）及び第１の投影距離検出部（以下、投影距離検出部２０８Ａという）で構成されている。また、表示装置２００Ａは、第１の映像信号入力部（以下、映像信号入力部２０１Ａという）、第１の偏光フィルタ（以下、偏光フィルタ２１０Ａという）及び第１のズーム量検出部（以下、ズーム量検出部２０７Ａという）をさらに備えている。
【００７３】
表示装置２００Ｂは、第２の視差量調整部（以下、視差量調整部２０２Ｂという）、第２の映像表示部（以下、映像表示部２０３Ｂという）、第２の視差量検出部（以下、視差量検出部２０５Ｂという）、第２の表示サイズ算出部（以下、表示サイズ算出部２０６Ｂという）及び第２の投影距離検出部（以下、投影距離検出部２０８Ｂという）で構成されている。また、表示装置２００Ｂは、第２の映像信号入力部（以下、映像信号入力部２０１Ｂという）、第２の偏光フィルタ（以下、偏光フィルタ２１０Ｂという）及び第２のズーム量検出部（以下、ズーム量検出部２０７Ｂという）をさらに備えている。
【００７４】
視差量調整部２０２Ａ，２０２Ｂ、映像表示部２０３Ａ，２０３Ｂ、視差量検出部２０５Ａ，２０５Ｂ、表示サイズ算出部２０６Ａ，２０６Ｂ、投影距離検出部２０８Ａ，２０８Ｂ、映像信号入力部２０１Ａ，２０１Ｂ及びズーム量検出部２０７Ａ，２０７Ｂは、第１の実施の形態で説明した視差量調整部１０２、映像表示部１０３、視差量検出部１０５、表示サイズ算出部１０６、投影距離検出部１０８、映像信号入力部１０１、及びズーム量検出部１０７とそれぞれ同じ機能を有しているので、その説明を省略する。
【００７５】
映像信号入力部２０１Ａには外部装置６０から左眼用画像信号Ｌ１，Ｌ２，Ｌ３及び左右視差映像の視差量の情報で構成される映像信号ＳＬinが入力される。また、映像信号入力部２０１Ｂには外部装置６０から右眼用画像信号Ｒ１，Ｒ２，Ｒ３及び左右視差映像の視差量の情報で構成される映像信号ＳＲinが入力される。
【００７６】
本実施の形態では、映像信号ＳＬinと映像信号ＳＲinの両方の信号に左右視差映像の視差量の情報が含まれることを前提に説明するが、映像信号ＳＬin又は映像信号ＳＲinのどちらか一方に左右視差映像の視差量の情報が含まれていれば視差量の調整を行うことができる。
【００７７】
投影距離検出部２０８Ａは、入射信号Ｄ１Ａをスクリーン２０に放射し、当該スクリーン２０から反射された反射信号Ｄ２Ａを受信することで映像表示部２０３Ａとスクリーン２０との間の距離（以下、左眼用投影距離という）を検出する。
【００７８】
視差量調整部２０２Ａは、この検出された左眼用投影距離と映像信号ＳＬinに含まれる視差量の情報とを使用して視差量を調整する。映像表示部２０３Ａを構成している図示しないズームレンズには偏光フィルタ２１０Ａが設けられており、表示装置２００Ａは、視差量が調整された左眼用映像を偏光させてスクリーン２０に表示させる。
【００７９】
一方、投影距離検出部２０８Ｂは、入射信号Ｄ１Ｂをスクリーン２０に放射し、当該スクリーン２０から反射された反射信号Ｄ２Ｂを受信することで映像表示部２０３Ｂとスクリーン２０との間の距離（以下、右眼用投影距離という）を検出する。
【００８０】
視差量調整部２０２Ｂは、この検出された右眼用投影距離と映像信号ＳＲinに含まれる視差量の情報とを使用して視差量を調整する。映像表示部２０３Ｂを構成している図示しないズームレンズには偏光フィルタ２１０Ｂが設けられており、表示装置２００Ｂは、視差量が調整された右眼用映像をスクリーン２０に表示させる。
【００８１】
鑑賞者は、偏光眼鏡５０をかけてスクリーン２０に表示された映像を見る。偏光眼鏡５０は、当該偏光眼鏡５０の左眼側のレンズに左眼用偏光フィルタ２１０Ａで偏光された左眼用映像が入力されるように偏光フィルタが設けられている。また、当該偏光眼鏡５０の右眼側のレンズに偏光フィルタ２１０Ｂで偏光された右眼用映像が入力されるように偏光フィルタが設けられている。
【００８２】
この構成により、鑑賞者は、偏光眼鏡５０を使用することで、鑑賞者の左眼には左眼用映像のみを入力させることができ、右眼には右眼用映像のみを入力させることができる。鑑賞者は、偏光眼鏡５０をかけてスクリーン２０に表示された映像を見ることで３次元立体映像を鑑賞することができる。
【００８３】
次に、表示システム２００の動作について説明する。図１０は表示システム２００の動作例を示すフローチャートである。図１０に示すように、ステップＳＴ２１乃至ステップＳＴ２８は表示装置２００Ａの動作であり、ステップＳＴ２９乃至ステップＳＴ３６は表示装置２００Ｂの動作である。
【００８４】
ステップＳＴ２１では、映像信号入力部２０１Ａは、左眼用映像と右眼用映像の視差量の情報を含む映像信号ＳＬinを受信する。
【００８５】
ステップＳＴ２２に移行し、視差量検出部２０５Ａは、受信した映像信号ＳＬinから視差量の情報を検出する。
【００８６】
ステップＳＴ２３に移行し、投影距離検出部２０８Ａは、映像表示部２０３Ａと映像が表示されるスクリーン２０との間の距離である投影距離を超音波やレーザーを用いて検出する。
【００８７】
ステップＳＴ２４に移行し、ズーム量検出部２０７Ａは、映像表示部２０３Ａが有しているズームレンズの拡大倍率であるズーム量を検出する。
【００８８】
ステップＳＴ２５に移行し、ズーム量検出部２０７Ａは、ズーム量設定が完了したか否かを判定する。ズーム量設定が完了していない場合には、ステップＳＴ２４に移行し、ズーム量検出部２０７Ａは再度ズーム量を検出する。ズーム量設定が完了した場合には、ステップＳＴ２６に移行する。
【００８９】
ステップＳＴ２６では、表示サイズ算出部２０６ＡがステップＳＴ２３にて検出された投影距離とステップＳＴ２４にて検出されたズーム量とを用いてスクリーン２０に表示される映像の表示サイズを算出する。
【００９０】
ステップＳＴ２７に移行し、視差量調整部２０２Ａは、視差量検出部２０５Ａで検出された視差量の情報を視差量に変換させ、その変換された視差量と表示サイズ算出部２０６Ａで算出された映像の表示サイズとを使用してスクリーン２０に表示される映像の視差量を調整する。
【００９１】
ステップＳＴ２８に移行し、映像表示部２０３Ａは、視差量調整部２０２Ａで調整された視差量で偏光フィルタ２１０Ａを介して左眼用映像をスクリーン２０に表示する。
【００９２】
また、ステップＳＴ２９では、映像信号入力部２０１Ｂは、左眼用映像と右眼用映像の視差量の情報を含む映像信号ＳＲinを受信する。
【００９３】
ステップＳＴ３０に移行し、視差量検出部２０５Ｂは、受信した映像信号ＳＲinから視差量の情報を検出する。
【００９４】
ステップＳＴ３１に移行し、投影距離検出部２０８Ｂは、映像表示部２０３Ｂと映像が表示されるスクリーン２０との間の距離である投影距離を超音波やレーザーを用いて検出する。
【００９５】
ステップＳＴ３２に移行し、ズーム量検出部２０７Ｂは、映像表示部２０３Ｂが有しているズームレンズの拡大倍率であるズーム量を検出する。
【００９６】
ステップＳＴ３３に移行し、ズーム量検出部２０７Ｂは、ズーム量設定が完了したか否かを判定する。ズーム量設定が完了していない場合には、ステップＳＴ３２に移行し、ズーム量検出部２０７Ｂは再度ズーム量を検出する。ズーム量設定が完了した場合には、ステップＳＴ３４に移行する。
【００９７】
ステップＳＴ３４では、表示サイズ算出部２０６ＢがステップＳＴ３１にて検出された投影距離とステップＳＴ３２にて検出されたズーム量とを用いてスクリーン２０に表示される映像の表示サイズを算出する。
【００９８】
ステップＳＴ３５に移行し、視差量調整部２０２Ｂは、視差量検出部２０５Ｂで検出された視差量の情報を視差量に変換させ、その変換された視差量と表示サイズ算出部２０６Ｂで算出された映像の表示サイズとを使用してスクリーン２０に表示される映像の視差量を調整する。
【００９９】
ステップＳＴ３６に移行し、映像表示部２０３Ｂは、視差量調整部２０２Ｂで調整された視差量で偏光フィルタ２１０Ｂを介して右眼用映像をスクリーン２０に表示する。
【０１００】
このように、第２の実施の形態に係る表示システム２００によれば、表示サイズ算出部２０６Ａ，２０６Ｂで算出された映像の表示サイズと視差量検出部２０５Ａ，２０５Ｂで検出された視差量の情報とを使用して視差量を調整する視差量調整部２０２Ａ，２０２Ｂを備える。
【０１０１】
これにより、ユーザーが視差量を調整せずとも最適化された視差量が得られるので、自動的に当該視差量を調整することができる。この結果、２台の表示装置２００Ａ，２００Ｂを使用した設置環境に依存しない視差量自動調整機能付き表示システム２００を提供することができる。
【０１０２】
＜第３の実施の形態＞  
［２台の表示装置を用いる場合（その２）］  
図１１は、第３の実施の形態に係る表示システム３００の構成例を示す説明図であり、図１２はそのブロック図である。図１１及び図１２に示す表示システム３００は、前述の第２の実施の形態に記載の表示システム２００に視差量の情報を作成する機能をもたせたものである。第２の実施の形態と同じ名称及び符号のものは同じ機能を有するので、その説明を省略する。
【０１０３】
図１１及び図１２に示すように、表示システム３００は、左眼用映像を表示させる第１の表示装置（以下、表示装置３００Ａという）と右眼用映像を表示させる第２の表示装置（以下、表示装置３００Ｂという）とで構成されている。
【０１０４】
表示装置３００Ａは、第１の視差量調整部（以下、視差量調整部３０２Ａという）、映像表示部２０３Ａ、視差量処理部３０５、表示サイズ算出部２０６Ａ、投影距離検出部２０８Ａ及び入力映像リピート部３０９で構成されている。また、表示装置３００Ａは、第１の映像信号入力部（以下、映像信号入力部３０１Ａという）、偏光フィルタ２１０Ａ及びズーム量検出部２０７Ａをさらに備えている。
【０１０５】
表示装置３００Ｂは、第２の視差量調整部（以下、視差量調整部３０２Ｂという）、映像表示部２０３Ｂ、表示サイズ算出部２０６Ｂ及び投影距離検出部２０８Ｂで構成されている。また、表示装置３００Ｂは、第２の映像信号入力部（以下、映像信号入力部３０１Ｂという）、偏光フィルタ２１０Ｂ及びズーム量検出部２０７Ｂをさらに備えている。
【０１０６】
映像信号入力部３０１Ａには、外部装置７０から左眼用画像信号Ｌ１，Ｌ２，Ｌ３で構成される映像信号ＳＬin及び右眼用画像信号Ｒ１，Ｒ２，Ｒ３で構成される映像信号ＳＲinが入力される。外部装置７０は、視差量の情報を送出する機能を有していないため、映像信号ＳＬin，ＳＲinには視差量の情報は含まれない。
【０１０７】
映像信号入力部３０１Ａには入力映像リピート部３０９が接続されており、当該入力映像リピート部３０９は映像信号入力部３０１Ａから出力された映像信号ＳＲinを受信する。入力映像リピート部３０９には表示装置３００Ｂを構成している映像信号入力部３０１Ｂが接続されている。入力映像リピート部３０９は映像信号入力部３０１Ｂに映像信号ＳＲinを送出する。
【０１０８】
また、映像信号入力部３０１Ａには視差量処理部３０５が接続されており、当該視差量処理部３０５は映像信号入力部３０１Ａから出力された映像信号ＳＬin，ＳＲinを受信し、当該映像信号ＳＬin，ＳＲinを使用してステレオマッチング処理を施して視差量の情報を作成する。また、視差量処理部３０５の機能を視差量調整部３０２Ａが有していても良い。
【０１０９】
ステレオマッチング処理は、映像信号ＳＬin，ＳＲinから得られる左眼用画像と右眼用画像に対し、各画像を小領域に分割し、小領域毎に類似している左眼用画像と右眼用画像との距離をそれぞれ算出して互いの相関を求める処理である。このようなステレオマッチング画像処理を施すことで、左右視差映像の視差量の情報を作成することができる。
【０１１０】
視差量処理部３０５には視差量調整部３０２Ａが接続されている。視差量調整部３０２Ａは、視差量処理部３０５で作成された視差量の情報を受信し、当該受信した視差量の情報と表示サイズ算出部２０６Ａで算出された映像の表示サイズとに基づいて視差量を調整する。また、視差量調整部３０２Ａは、視差量処理部３０５で作成された視差量の情報を視差量調整部３０２Ｂに通知する。
【０１１１】
視差量調整部３０２Ｂは、その通知された視差量の情報と表示サイズ算出部２０６Ｂで算出された映像の表示サイズとに基づいて前述の映像信号入力部３０１Ｂから出力された映像信号ＳＲinの視差量を調整する。
【０１１２】
本実施の形態では、入力映像リピート部３０９が映像信号ＳＲinを映像信号入力部３０１Ｂに入力するようにしたが、もちろん、映像信号ＳＬinを映像信号入力部３０１Ｂに入力することも可能である。その場合、表示装置３００Ａには右眼用映像を表示させ、表示装置３００Ｂには左眼用映像を表示させる。
【０１１３】
次に、表示システム３００の動作について説明する。図１３は表示システム３００の動作例を示すフローチャートである。図１３に示すように、ステップＳＴ４１乃至ステップＳＴ５０は表示装置３００Ａの動作であり、ステップＳＴ５１乃至ステップＳＴ５８は、表示装置３００Ｂの動作である。
【０１１４】
ステップＳＴ４１では、映像信号入力部３０１Ａは、左眼用映像及び右眼用映像を含む映像信号ＳＬin，ＳＲinを受信する。
【０１１５】
ステップＳＴ４２に移行し、入力映像リピート部３０９は、受信した右眼用映像の映像信号ＳＲinを映像信号入力部３０１Ｂに送信する。
【０１１６】
ステップＳＴ４３に移行し、視差量処理部３０５は、受信した映像信号ＳＬin，ＳＲinに基づいてステレオマッチング処理を施し、視差量の情報を作成する。
【０１１７】
ステップＳＴ４４に移行し、視差量調整部３０２Ａは、視差量処理部３０５で作成された視差量の情報を視差量調整部３０２Ｂに通知する。
【０１１８】
ステップＳＴ４５に移行し、投影距離検出部２０８Ａは、映像表示部２０３Ａと映像が表示されるスクリーン２０との間の距離である投影距離を超音波やレーザーを用いて検出する。
【０１１９】
ステップＳＴ４６に移行し、ズーム量検出部２０７Ａは、映像表示部２０３Ａが有しているズームレンズの拡大倍率であるズーム量を検出する。
【０１２０】
ステップＳＴ４７に移行し、ズーム量検出部２０７Ａは、ズーム量設定が完了したか否かを判定する。ズーム量設定が完了していない場合には、ステップＳＴ４６に移行し、ズーム量検出部２０７Ａは再度ズーム量を検出する。ズーム量設定が完了した場合には、ステップＳＴ４８に移行する。
【０１２１】
ステップＳＴ４８では、表示サイズ算出部２０６ＡがステップＳＴ４５にて検出された投影距離とステップＳＴ４６にて検出されたズーム量とを用いてスクリーン２０に表示される映像の表示サイズを算出する。
【０１２２】
ステップＳＴ４９に移行し、視差量調整部３０２Ａは、視差量処理部３０５で作成された視差量の情報を視差量に変換させ、その変換された視差量と表示サイズ算出部２０６Ａで算出された映像の表示サイズとを使用してスクリーン２０に表示される映像の視差量を調整する。
【０１２３】
ステップＳＴ５０に移行し、映像表示部２０３Ａは、視差量調整部３０２Ａで調整された視差量で偏光フィルタ２１０Ａを介して左眼用映像をスクリーン２０に表示する。
【０１２４】
また、ステップＳＴ５１では、映像信号入力部３０１Ｂは、ステップＳＴ４２で入力映像リピート部３０９より送信された右眼用映像を含む映像信号ＳＲinを受信する。
【０１２５】
ステップＳＴ５２に移行し、視差量調整部３０２Ｂは、ステップＳＴ４４で視差量調整部３０２Ａが通知した視差量の情報を受信する。
【０１２６】
ステップＳＴ５３に移行し、投影距離検出部２０８Ｂは、映像表示部２０３Ｂと映像が表示されるスクリーン２０との間の距離である投影距離を超音波やレーザーを用いて検出する。
【０１２７】
ステップＳＴ５４に移行し、ズーム量検出部２０７Ｂは、映像表示部２０３Ｂが有しているズームレンズの拡大倍率であるズーム量を検出する。
【０１２８】
ステップＳＴ５５に移行し、ズーム量検出部２０７Ｂは、ズーム量設定が完了したか否かを判定する。ズーム量設定が完了していない場合には、ステップＳＴ５４に移行し、ズーム量検出部２０７Ｂは再度ズーム量を検出する。ズーム量設定が完了した場合には、ステップＳＴ５６に移行する。
【０１２９】
ステップＳＴ５６では、表示サイズ算出部２０６Ｂが、ステップＳＴ５３にて検出された投影距離とステップＳＴ５４にて検出されたズーム量とを用いてスクリーン２０に表示される映像の表示サイズを算出する。
【０１３０】
ステップＳＴ５７に移行し、視差量調整部３０２Ｂは、視差量調整部３０２Ａで通知された視差量の情報を視差量に変換させ、その変換された視差量と表示サイズ算出部２０６Ｂで算出された映像の表示サイズとを使用してスクリーン２０に表示される映像の視差量を調整する。
【０１３１】
ステップＳＴ５８に移行し、映像表示部２０３Ｂは、視差量調整部２０２Ｂで調整された視差量で偏光フィルタ２１０Ｂを介して右眼用映像をスクリーン２０に表示する。
【０１３２】
このように、第３の実施の形態に係る表示システム３００によれば、外部装置７０から視差量の情報が含まれない映像信号を受信したとき、視差量処理部３０５がステレオマッチング画像処理によって視差量の情報を作成し、視差量調整部３０２Ａが作成された視差量の情報を視差量調整部３０２Ａに通知する。
【０１３３】
これにより、外部装置７０から視差量の情報を受信しなくても、視差量の情報が作成され、また、ユーザーが視差量を調整せずとも最適化された視差量が得られるので、自動的に当該視差量を調整することができる。また、表示装置３００Ｂには視差量検出部が不要なので、表示装置３００Ｂの負担が低減できる。
【０１３４】
この結果、２台の表示装置３００Ａ，３００Ｂを使用した設置環境に依存しない視差量自動調整機能付き表示システム３００を提供することができる。
【産業上の利用可能性】
【０１３５】
本発明は、３次元立体映像を表示させる前面投影型のプロジェクタ装置に適用して極めて有効である。
【図面の簡単な説明】
【０１３６】
【図１】第１の実施の形態に係る表示装置１００の構成例を示す説明図である。
【図２】表示装置１００の構成例を示すブロック図である。
【図３】視差量のイメージ例を示す説明図である。
【図４】投影距離と表示サイズの関係例を示すグラフである。
【図５】映像表示部１０３の構成例を示す説明図である。
【図６】視差量調整部１０２の動作例を示すフローチャートである。
【図７】表示装置１００の動作例を示すフローチャートである。
【図８】第２の実施の形態に係る表示システム２００の構成例を示す説明図である。
【図９】表示システム２００の構成例を示すブロック図である。
【図１０】表示システム２００の動作例を示すフローチャートである。
【図１１】第３の実施の形態に係る表示システム３００の構成例を示す説明図である。
【図１２】表示システム３００の構成例を示すブロック図である。
【図１３】表示システム３００の動作例を示すフローチャートである。
【図１４】左右の眼と左右視差映像の関係例（その１）を示す説明図である。
【図１５】左右の眼と左右視差映像の関係例（その２）を示す説明図である。
【符号の説明】
【０１３７】
２０・・・スクリーン、４０・・・液晶シャッター眼鏡、５０・・・偏光眼鏡、６０，７０・・・外部装置、１００・・・表示装置、１０１・・・映像信号入力部、１０２・・・視差量調整部、１０３・・・映像表示部、１０４・・・ズームレンズ、１０５・・・視差量検出部、１０６・・・表示サイズ算出部、１０７・・・ズーム量検出部、１０８・・・投影距離検出部、１１１・・・光源、１１２，１１３・・・ダイクロイックミラー、１１４，１１５，１１６・・・反射ミラー、１１７・・・赤色用液晶パネル、１１８・・・緑色用液晶パネル、１１９・・・青色用液晶パネル、１２０・・・ダイクロイックプリズム、１３０，１３１，１３２，１３３，１３４・・・左眼用映像、１４０，１４１，１４２，１４３，１４４・・・右眼用映像、１５１，１５２・・・立体映像、１６０・・・鑑賞者の左眼、１７０・・・鑑賞者の右眼、２００，３００・・・表示システム、２００Ａ，３００Ａ・・・第１の表示装置、２００Ｂ，３００Ｂ・・・第２の表示装置、２０１Ａ，３０１Ａ・・・第１の映像信号入力部、２０１Ｂ，３０１Ｂ・・・第２の信号入力部、２０２Ａ，３０２Ａ・・・第１の視差量調整部、２０２Ｂ，３０２Ｂ・・・第２の視差量調整部、２０３Ａ・・・第１の映像表示部、２０３Ｂ・・・第２の映像表示部、２０５Ａ・・・第１の視差量検出部、２０５Ｂ・・・第２の視差量検出部、２０６Ａ・・・第１の表示サイズ算出部、２０６Ｂ・・・第２の表示サイズ算出部、２０７Ａ・・・第１のズーム量検出部、２０７Ｂ・・・第２のズーム量検出部、２０８Ａ・・・第１の投影距離検出部、２０８Ｂ・・・第２の投影距離検出部、２１０Ａ・・・第１の偏光フィルタ、２１０Ｂ・・・第２の偏光フィルタ、３０５・・・視差量処理部、３０９・・・入力映像リピート部
【図１】
2010098479.tif 000004
【図２】
2010098479.tif 000005
【図３】
2010098479.tif 000006
【図４】
2010098479.tif 000007
【図５】
2010098479.tif 000008
【図６】
2010098479.tif 000009
【図７】
2010098479.tif 000010
【図８】
2010098479.tif 000011
【図９】
2010098479.tif 000012
【図１０】
2010098479.tif 000013
【図１１】
2010098479.tif 000014
【図１２】
2010098479.tif 000015
【図１３】
2010098479.tif 000016
【図１４】
2010098479.tif 000017
【図１５】
2010098479.tif 000018